(57)【特許請求の範囲】
【請求項１】
２つの建物躯体における互いに対設される壁躯体と天井躯体の突合せコーナー部である入隅部間の間隙を覆うように架設されるエキスパンションジョイント構造において、
天井躯体間の間隙を覆う天井カバーと、壁躯体間の間隙を覆う壁カバーと、天井躯体と壁躯体の突合せコーナー部である入隅部間の間隙を覆うとともに上記両カバーを互いに接続するジョイントカバーとからなり、
上記ジョイントカバーの一端を上記壁カバーに固定し、他端を上記天井カバーに係合させるとともに、上記ジョイントカバーの上記一端には上記天井カバーの両側を覆う側カバー部を開閉自在に設け、この側カバー部を常時上記天井カバーの両側に係合するように付勢した
ことを特徴とするエキスパンションジョイント構造。
【請求項２】
２つの建物躯体における互いに対設される壁躯体と天井躯体の突合せコーナー部である入隅部間の間隙を覆うように架設されるエキスパンションジョイント構造において、
天井躯体間の間隙を覆う天井カバーと、壁躯体間の間隙を覆う壁カバーと、天井躯体と壁躯体の突合せコーナー部である入隅部間の間隙を覆うとともに上記両カバーを互いに接続するジョイントカバーとからなり、
上記ジョイントカバーを上記天井カバーに固定するとともに、ジョイントカバーの一側を切欠き、同じ側の壁躯体には上記天井カバーの一側を覆う側カバー部を開閉自在に支持する支持部材を設け、上記側カバー部を常時上記天井カバーの一側に係合するように付勢するとともに、上記支持部材には上記ジョイントカバーの切欠き部を下から覆う隠しカバーを設けた
ことを特徴とするエキスパンションジョイント構造。
【発明の詳細な説明】
【技術分野】
【０００１】
本発明は、互いに対設関係とされる入隅部間、つまり互いに対設関係とされる建物躯体における壁躯体と天井躯体の突合せコーナー部である入隅部間の間隙部の覆いとして用いられるエキスパンションジョイント構造に関する。
【背景技術】
【０００２】
一般に、２つの建物躯体における壁や天井等の各対設関係とされる躯体間の間隙部の覆いとして、震動、不同沈下等による各躯体間の相対変位に拘わらずこれら躯体間の間隙部を効率的に覆うように工夫されたエキスパンションジョイントは従来から種々提案されており、また壁躯体と天井躯体の突合せコーナー部である対設関係とされる入隅部間の間隙部の覆いに用いられるジョイント構造も提案されている。
【０００３】
例えば、上述の入隅部間の間隙部の覆いに用いられる上記のジョイントの１つとして、互いの壁面直交方向における相対変位で対設壁躯体間に生じる間隙に対処するように構成されたジョイントにおいて、両壁躯体の壁面に当接対峙された天井裏部材が上記壁躯体の相対変位における一方壁躯体の移動に伴って押動されて該一方壁躯体と一緒になって移動することで、一方壁躯体と裏部材の当接間に、つまり一方壁躯体の壁面と裏部材の突合せコーナー部である入隅部に上記相対変位による空間が生じないようにしたものが知られている（例えば、特許文献１参照）。
【特許文献１】特開平８−２４６５６４号公報
【発明の開示】
【発明が解決しようとする課題】
【０００４】
ところで、上述のエキスパンションジョイント構造は、一般的にその構造が複雑であり、また機能的にも、各躯体間の変位が大きな場合や躯体の相対変位の方向によっては十分に対応できず、カバーと各躯体との間に隙間が生じて上記間隙を十分に覆うことができないとか、入隅部のジョイントカバーが天井や壁のカバーによる押圧力によって変形したり破損したりすることがある。
【０００５】
カバーと各躯体との間の隙間の発生やカバーの破損は、ジョイントによる覆い部の外観性を阻害し、内装の見栄えを悪くするものである。
【０００６】
そして、上述の特許文献１の入隅部間の間隙の覆いに適用される上記ジョイントにおいても、対設される壁躯体の相対変位に伴う一方壁躯体の移動で天井裏部材が一緒に移動するので、一方壁躯体と裏部材間に上記相対変位による空間は生じない。しかし、他方壁躯体の壁面や両壁躯体間の間隙部と裏部材との間には大きな空間が形成され、入隅部間の間隙の覆い部の外観性が阻害され、内装の見栄えを悪化させている。
【０００７】
上述のような状況の中で、本発明は入隅部間の間隙の覆いに適用されるエキスパンションジョイント構造において、各躯体間の種々の相対変位に対して円滑に対応でき、かつ上記入隅部間の良好な外観性を維持できるエキスパンションジョイント構造を提供することをその課題とする。
【課題を解決するための手段】
【０００８】
前記課題を解決するため、請求項１に係る発明は、２つの建物躯体における互いに対設される壁躯体と天井躯体の突合せコーナー部である入隅部間の間隙を覆うように架設されるエキスパンションジョイント構造において、天井躯体間の間隙を覆う天井カバーと、壁躯体間の間隙を覆う壁カバーと、天井躯体と壁躯体の突合せコーナー部である入隅部間の間隙を覆うとともに上記両カバーを互いに接続するジョイントカバーとからなり、上記ジョイントカバーの一端を上記壁カバーに固定し、他端を上記天井カバーに係合させるとともに、上記ジョイントカバーの上記一端には上記天井カバーの両側を覆う側カバー部を開閉自在に設け、この側カバー部を常時上記天井カバーの両側に係合するように付勢したことを特徴とする。
【０００９】
また、請求項２に係る発明は、２つの建物躯体における互いに対設される壁躯体と天井躯体の突合せコーナー部である入隅部間の間隙を覆うように架設されるエキスパンションジョイント構造において、天井躯体間の間隙を覆う天井カバーと、壁躯体間の間隙を覆う壁カバーと、天井躯体と壁躯体の突合せコーナー部である入隅部間の間隙を覆うとともに上記両カバーを互いに接続するジョイントカバーとからなり、上記ジョイントカバーを上記天井カバーに固定するとともに、ジョイントカバーの一側を切欠き、同じ側の壁躯体には上記天井カバーの一側を覆う側カバー部を開閉自在に支持する支持部材を設け、上記側カバー部を常時上記天井カバーの一側に係合するように付勢するとともに、上記支持部材には上記ジョイントカバーの切欠き部を下から覆う隠しカバーを設けたことを特徴とする。
【発明の効果】
【００１０】
請求項１に係る発明によれば、ジョイントカバーの一端を上記壁カバーに固定し、他端を天井カバーに係合させるとともに、上記ジョイントカバーの上記一端には上記天井カバーの両側を覆う側カバー部を開閉自在に設け、この側カバー部を常時上記天井カバーの両側に係合するように付勢したので、２つの建物躯体が相対的に変位する場合、特に建物躯体間の隙間に互いに逆方向に平行に移動するとき、ジョイントカバーは大きく傾き、このときジョイントカバーの側カバー部が天井カバーによって強く押し出されることになる。しかし、側カバー部は回動自在になっているので、開き方向に回動して天井カバーの変位を吸収することができる。震動等が終了して天井カバーが元の位置に戻れば、ジョイントカバーの側カバー部もバネによって元の位置に復帰する。
【００１１】
さらに、上記構成によれば、入隅部の外観が良好である。また、ジョイントカバーは容易に取り付けることができ、作業性がよいとともに、後付けすることも可能である。また、建物躯体が変位してもジョイントカバーが変形したり損傷したりするのを有効に防止することができる。
【００１２】
請求項２に係る発明は、ジョイントカバーを天井カバーに固定するとともに、ジョイントカバーの一側を切欠き、同じ側の壁躯体には上記天井カバーの一側を覆う側カバー部を開閉自在に支持する支持部材を設け、上記側カバー部を常時上記天井カバーの一側に係合するように付勢するとともに、上記支持部材には上記ジョイントカバーの切欠き部を下から覆う隠しカバーを設けた構成である。
【００１３】
したがって、２つの建物躯体が震動等によって相対的に変位する場合、特に建物躯体間の隙間に対して互いに接近する方向に移動するときは、ジョイントカバーに切欠き部が形成されているため、切欠き部が変位を吸収することができ、したがってジョイントカバーが変形したり損傷したりするのを有効に防止することができる。また、ジョイントカバーの側カバー部が天井カバーによって強く押し出されることになる。しかし、側カバー部は回動自在になっているので、開き方向に回動して天井カバーの変位を吸収することができる。震動等が終了して天井カバーが元の位置に戻れば、ジョイントカバーの側カバー部もバネによって元の位置に復帰する。
【００１４】
また、建物躯体間の隙間が離間する方向に移動するときは隠しカバーは一方の建物躯体に残るので、切欠き部が大きく開放することはない。したがって、入隅部の外観が良好である。
【００１５】
また、ジョイントカバーは容易に取り付けることができ、作業性がよいとともに、後付けすることも可能である。
【発明を実施するための最良の形態】
【００１６】
［実施形態１］
図１ないし図５に基づいて本発明の実施形態１を説明する。
【００１７】
図１、図２に図示されるように、互いに相対変位する２つの建物躯体Ａ、Ｂ間に架設されるエキスパンションジョイントは、２つの建物躯体Ａ、Ｂのそれぞれの壁躯体Ａ１、Ｂ１と天井躯体Ａ２、Ｂ２が突き合せられる入隅部Ａ３、Ｂ３の間の間隙部Ｄ３を覆うために架設される構造を備えており、壁躯体Ａ１、Ｂ１間の間隙Ｄ１と天井躯体Ａ２、Ｂ２間の間隙Ｄ２を覆う天井カバー２と、壁躯体間の間隙Ｄ１を覆う壁カバー１と、天井躯体と壁躯体との突合せコーナー部である入隅部間の間隙Ｄ３を覆うとともに上記両カバー１、２を互いに接続するジョイントカバー３とからなる。これら３枚のカバー１、２、３は、いずれもアルミ材等の押出成形により形成されている。
【００１８】
壁カバー１は断面が略コ字形に形成され、図示しない支持手段により、常に壁躯体間の間隙Ｄ１の中心に保持された状態で上記間隙Ｄ１を覆うように保持されている。
【００１９】
天井カバー２も、同様に断面が略コ字形に形成され、図示しない支持手段により、同じ天井躯体間の間隙Ｄ２を覆うように保持されている。
【００２０】
次に、上記ジョイントカバー３の一方には垂下部３１が形成されている。また、垂下部３１の上部からは、上記天井カバー２の端部に重合する水平カバー部３２と天井カバー２の端部の両側部を覆う側カバー部３３とをコ字形に形成したカバー部３４が水平方向に突出形成されている。
【００２１】
垂下部３１は上記壁カバー１の上端に固定されている。垂下部３１の両側部からは起立片３５が上方に突出形成されている。
【００２２】
水平カバー部３２の先端には上方に屈曲する受け片３６が形成され、受け片３６が天井カバー２の水平部に係合している。また、水平カバー部３２の先端の両側にも受け部３７（図３参照）が形成されている。側カバー部３３は天井カバー２の側部に係合している。また、上記側カバー部３３は上記垂下部３１の両側の起立片３５に対してバネ付き蝶番４を介して開閉自在に枢着されている。側カバー部３３は常時内方に回動するようにバネ付勢されている。これにより、側カバー部３３は天井カバー２の側部と水平カバー部３２の受け部３７にバネ力により圧接状態で係合している。図４（ａ）（ｂ）は上記エキスパンションジョイント構造の平面図及び側面図である。
【００２３】
上記構造の３枚のカバー１、２、３は、上述のように２つの建物躯体Ａ、Ｂの対設される壁躯体Ａ１、Ｂ１、天井躯体Ａ２、Ｂ２間の間隙部Ｄ１、Ｄ２、および壁躯体Ａ１、Ｂ１と天井躯体Ａ２、Ｂ２の突合せコーナー部である入隅部Ａ３、Ｂ３間の間隙部Ｄ３をそれぞれ覆うように互いに組合わされてエキスパンションジョイントとされて上記建物躯体Ａ、Ｂ間に架設されている。
【００２４】
次に、２つの対設される壁躯体Ａ１、Ｂ１と天井躯体Ａ２、Ｂ２が相対変位していない平常時におけるエキスパンションジョイントが図１の平常時の状態から、例えば、震動、不同沈下等により、対設される一方の建物躯体Ａが他方の建物躯体Ｂに対して図５の上下図のＸ−Ｘ方向に相対変位した場合には、いずれの方向の変位においても両建物躯体Ａ、Ｂのそれぞれの壁面が互いに平行な同一面上で変位するので、該面への当接部を介して保持されるジョイントの壁カバー１と天井カバー２はそれぞれ該当接部を介して一緒になって上記面上をスライドするので、壁カバー１と天井カバー２の相対的な位置ズレは起こらない。
【００２５】
これに対し、例えば、対設する一方の建物躯体Ａが他方の建物躯体Ｂに対して図５の右図のＹ−Ｙ方向に相対変位した場合には、壁カバー１が反時計回りに回動傾斜し、壁カバー１に一体固定されたジョイントカバー３も一緒に回動する。ジョイントカバー３のこの回動は、ジョイントカバー３の一方の側部カバー部３３を天井カバー２の角部２ａに当接させ、一方の側部カバー部３３がバネ付き蝶番４によるバネ付勢力に抗して時計回りに回動して押し開かれ、ジョイントカバー３と天井カバー２の円滑な相対移動が可能とされる。
【００２６】
また、図５の左図のＹ−Ｙ方向に相対変位した場合には、壁カバー１が時計回りに回動傾斜し、一緒に回動するジョイントカバー３の側カバー部３３を天井カバー２の角部２ｂに当接させ、側カバー部３３がバネ付き蝶板４のバネ付勢力に抗して反時計回りに回動して押し開かれ、ジョイントカバー３と天井カバー２の円滑な相対移動が可能とされる。
【００２７】
したがって、２つの建物躯体Ａ、Ｂが震動等によって相対的に変位する場合、特に建物躯体Ａ、Ｂ間の隙間に互いに逆方向に平行に移動するとき、ジョイントカバー３は大きく傾き、このときジョイントカバー３の側カバー部３３が天井カバー２によって強く押し出されることになる。しかし、側カバー部３３は回動自在になっているので、開き方向に回動して天井カバー２の変位を吸収することができる。震動等が終了して天井カバー２が元の位置に戻れば、ジョイントカバー３の側カバー部３３もバネによって元の位置に復帰する。
【００２８】
さらに、上記構成によれば、入隅部の外観が良好である。また、ジョイントカバー３は容易に取り付けることができ、作業性がよいとともに、後付けすることも可能である。また、建物躯体が変位してもジョイントカバー３が変形したり損傷したりするのを有効に防止することができる。
【００２９】
［実施形態２］
図６ないし図９を参照して実施形態２のエキスパンションジョイントを説明する。このエキスパンションジョイントは、天井カバー２と、建物躯体Ａ、Ｂの相対変位に対処するためのジョイントカバー５の組合せからなり、これらのカバーはアルミ板等の加工により形成されている。
【００３０】
上記ジョイントカバー５は図７に示すように、水平カバー部５１の四側に側部５２、５３、５４、５５を立ち上げて略箱型に形成されている。上記ジョイントカバー５の一方の壁躯体Ａ１側の角隅部から天井躯体Ａ２間の間隙にかけて切欠き部７が形成されている。
【００３１】
上記角隅部に対応する部分には、上記ジョイントカバー５の上記壁躯体Ａ１側の側部５５を覆う側カバー部５６を開閉自在に支持する支持部材８が設けられている。
【００３２】
支持部材８の上端と下端にはそれぞれ上板８１と下板８２とが形成されているとともに、支持部材８の一端部には側カバー部５６がバネ付き蝶番４を介して取り付けられている。そして、上記上板８１は天井躯体Ａ２にネジ止め固定され、また、下板８２には隠しカバー９が固定されている。隠しカバー９は切欠き部７よりも大きく、好ましくは建物躯体Ａ、Ｂが変位したときでも切欠き部７を覆う程度の大きさに形成するのがよい。
【００３３】
上記ジョイントカバー５は図８（ａ）（ｂ）に示されるように、上記天井カバー２の端部に重合状態で固定されている。上記側カバー部５６は常時上記ジョイントカバー５の切除された側部５５に係合するように付勢され、また上記隠しカバー９は上記切欠き部７を覆うように配置されている。
【００３４】
次に、震動、不同沈下等により、対設された２つの建物躯体Ａ、Ｂが相対的に変位した場合のエキスパンションジョイントの移動状態を図９を参照して説明する。
【００３５】
２つの建物躯体Ａ、Ｂの相対変位が、例えば一方の建物躯体Ａが他方の建物躯体Ｂに対して図９の上図のように互いに接近するＸ−Ｘ方向に変位する場合においては、天井カバー２の角部２ａがジョイントカバー５の側部カバー部５６を押し出すので、側部カバー部５６はバネ付勢力に抗して開き方向に回動して天井カバー２の変位を吸収することができる。震動等が終了して天井カバー２が元の位置に戻れば、ジョイントカバー５の側カバー部５６もバネによって元の位置に復帰する。
【００３６】
次に、一方の建物躯体Ａが他方の建物躯体Ｂに対して図９の下図のように互いに離間するＸ−Ｘ方向に移動したときは、ジョイントカバー５が離間し、大きく変位したときは切欠き部７の一部は隠しカバー９により隠蔽されるので、切欠き部７が大きく開放することはなく、外観はあまり損なわれない。
【００３７】
また、２つの建物躯体Ａ、Ｂの相対変位が、一方の建物躯体Ａが他方の建物躯体Ｂに対して図９の右図のようにＹ−Ｙ方向に移動するときは、ジョイントカバー５の切欠き部７が建物躯体Ａに衝突するのを避けることができるので、切欠き部７が変位を吸収することができ、したがってジョイントカバー５が変形したり損傷したりするのを有効に防止することができる。また、大きな変位においては切欠き部７の一部を開放するが、通常の変位においては殆ど外観を損することはない。
【００３８】
さらに、一方の建物躯体Ａが他方の建物躯体Ｂに対して図９の左図のように変動するときは、天井カバー２に一体のジョイントカバー５によって切欠き部７は殆ど閉鎖状態とされる。
【００３９】
また、上記構成によればジョイントカバー５は容易に取り付けることができ、作業性がよいとともに、後付けすることも可能である。
【図面の簡単な説明】
【００４０】
【図１】は、本発明のエキスパンションジョイントの取付け状態における外観斜視図である。
【図２】は、本発明のエキスパンションジョイントの分解斜視図である。
【図３】は、本発明のエキスパンションジョイントの一作用態様を示す外観斜視図である。
【図４】は、本発明の天井端部カバーの取付け構造部を示す図であり、（ａ）は下方面図、（ｂ）は前後方向端面図である。
【図５】は、本発明のエキスパンションジョイントの作動態様を示す図である。
【図６】は、本発明のエキスパンションジョイントの別の実施形態を示す図である。
【図７】は、図６のエキスパンションジョイントの分解斜視図である。
【図８】は、図６のエキスパンションジョイントの天井端部カバーの取付け構造部を示す図であり、（ａ）は下方面図、（ｂ）は前後方向端面図である。
【図９】は、図６のエキスパンションジョイントの作動態様を示す図である。
【符号の説明】
【００４１】
Ａ、Ｂ  建物躯体
１    壁カバー
２    天井カバー
３、５  ジョイントカバー
７    切欠き部
９    隠しカバー
３３  側カバー部
【図１】
0004799258.tif 000002
【図２】
0004799258.tif 000003
【図３】
0004799258.tif 000004
【図４】
0004799258.tif 000005
【図５】
0004799258.tif 000006
【図６】
0004799258.tif 000007
【図７】
0004799258.tif 000008
【図８】
0004799258.tif 000009
【図９】
0004799258.tif 000010